(57)【特許請求の範囲】
【請求項１】
第１ケース体及び該第１ケース体の表面に開閉自在に装着される第２ケース体を有し、前記両ケース間に遊技動作を制御する制御基板を収容せしめる合成樹脂製の基板ケースを備え、前記第２ケース体に設けられた第２封止部を、前記第１ケース体に設けられ、かつ該第２封止部の裏面側に相対する第１封止部に、封止手段により固定することにより、前記基板ケースの開封を実質的に不能にした遊技機の基板ケース装置において、
前記第１封止部は、表裏方向を向く筒部と、該筒部の裏側を閉鎖する裏面壁と、前記筒部の表側に設けられる表面壁とを一体的に形成してなり、前記表面壁に、前記筒部内の内部孔より小径の縮径孔を穿設するとともに、前記筒部に、その長手方向と直交する方向から前記内部孔を成型するための樹脂成型の型を抜くときに形成される前記内部孔に通じる開口部を形成し、
前記第２封止部は、前記第１封止部の外側に嵌合して、前記開口部を閉鎖し得るように筒状をなし、
前記封止手段は、合成樹脂材料で形成されるとともに、一端部に設けられた鍔部から突出し、前記第２封止部に表面側から挿入される軸部と、該軸部の他端部外周に径方向へ弾性変形可能に設けられ、前記第１封止部の内部孔に進入して前記第１封止部に抜止め係合可能な弾性爪とを有することを特徴とする遊技機の基板ケース装置。
【請求項２】
封止手段の弾性爪は、第１封止部の表面壁の縮径孔を弾性変形しつつ通過して内部孔に進入して、前記表面壁の裏面側に係合することを特徴とする請求項１記載の遊技機の基板ケース装置。
【請求項３】
封止手段は、軸部が第２封止部に浅く挿入されることにより、弾性爪が前記第２封止部に抜止め係合する仮止め状態となり、また、該仮止め状態からさらに深く挿入されることにより、前記弾性爪が第１封止部に抜止め係合する本止め状態となることを特徴とする請求項１または２記載の遊技機の基板ケース装置。
【請求項４】
封止手段は、軸部における鍔部と弾性爪との間に設けられ、本止め状態のとき、第２封止部に抜止め係合可能な他の弾性爪を有することを特徴とする請求項１〜３のいずれかに記載の遊技機の基板ケース装置。
【請求項５】
封止手段の他の弾性爪は、弾性爪が第１封止部の縮径孔を通過するとき、それと同時に第２封止部に設けた縮径孔を通過して、第２封止部内で抜止め係合することを特徴とする請求項４記載の遊技機の基板ケース装置。
【発明の詳細な説明】
【技術分野】
【０００１】
本発明は、遊技を制御する制御基板を基板ケース内に収容した遊技機の基板ケース装置に関する。
【背景技術】
【０００２】
従来、スロットマシン、パチンコ機等の遊技機においては、遊技を制御するＣＰＵ、ＲＡＭ，ＲＯＭ等の電子部品を実装した制御基板を透明な基板ケース内に収容し、制御基板の電子部品を不正に交換する等の不正改造ができないように、基板ケースの封止部を、合成樹脂製の封止手段により固定することによって、基板ケースを封止している。また、制御基板を検査するとき等、基板ケースを開封する必要がある場合には、封止手段により固定された封止部の切断部をニッパー等の工具で切断するようになっている（例えば、特開平１１−２３９６５０号公報参照）。
【発明の開示】
【発明が解決しようとする課題】
【０００３】
しかし、上述の特許文献１に記載された遊技機の基板ケース装置は、基板ケースの封止部を固定している封止手段の先端を不正具で弾性変形させる等して、封止手段を封止部から取り外す不正行為を阻止するため、基板ケースに高周波接着等により裏板を接着し、この裏板で封止手段の先端が係合している部分を閉鎖することにより、封止手段の取り外しを阻止している。しかし、この構造では、接着された裏板を不正に加工することにより、封止手段の不正な取り外しが可能であるとともに、裏板を基板ケースに接着する等の複雑な作業を必要としてコストの上昇を招く等の問題を有する。
【０００４】
本発明は、従来の問題に鑑み、不正行為による封止手段の取り外しを阻止して、基板ケースの不正な開封を防止するようにした遊技機の基板ケース装置を提供することを目的とする。
【課題を解決するための手段】
［０００５］
本発明によると、上記課題は、次のようにして解決される。
（１）第１ケース体及び該第１ケース体の表面に開閉自在に装着される第２ケース体を有し、前記両ケース間に遊技動作を制御する制御基板を収容せしめる合成樹脂製の基板ケースを備え、前記第２ケース体に設けられた第２封止部を、前記第１ケース体に設けられ、かつ該第２封止部の裏面側に相対する第１封止部に、封止手段により固定することにより、前記基板ケースの開封を実質的に不能にした遊技機の基板ケース装置において、前記第１封止部は、表裏方向を向く筒部と、該筒部の裏側を閉鎖する裏面壁と、前記筒部の表側に設けられる表面壁とを一体的に形成してなり、前記表面壁に、前記筒部内の内部孔より小径の縮径孔を穿設するとともに、前記筒部に、その長手方向と直交する方向から前記内部孔を成型するための樹脂成型の型を抜くときに形成される前記内部孔に通じる開口部を形成し、前記第２封止部は、前記第１封止部の外側に嵌合して、前記開口部を閉鎖し得るように筒状をなし、前記封止手段は、合成樹脂材料で形成されるとともに、一端部に設けられた鍔部から突出し、前記第２封止部に表面側から挿入される軸部と、該軸部の他端部外周に径方向へ弾性変形可能に設けられ、前記第１封止部の内部孔に進入して前記第１封止部に抜止め係合可能な弾性爪とを有する。
［０００６］
（２）上記（１）項において、封止手段の弾性爪は、第１封止部の表面壁の縮径孔を弾性変形しつつ通過して内部孔に進入して、前記表面壁の裏面側に係合する。
［０００７］
（３）上記（１）または（２）項において、封止手段は、軸部が第２封止部に浅く挿入されることにより、弾性爪が前記第２封止部に抜止め係合する仮止め状態となり、また、該仮止め状態からさらに深く挿入されることにより、前記弾性爪が第１封止部に抜止め係合する本止め状態となる。
［０００８］
（４）上記（１）〜（３）項のいずれかにおいて、封止手段は、軸部における鍔部と弾性爪との間に設けられ、本止め状態のとき、第２封止部に抜止め係合可能な他の弾性爪を有する。
［０００９］
（５）上記（４）項において、封止手段の他の弾性爪は、弾性爪が第１封止部の縮径孔を通過するとき、それと同時に第２封止部に設けた縮径孔を通過して、第２封止部内で抜止め係合する。
発明の効果
［００１０］
本発明によれば、次のような効果が奏せられる。
（ａ）請求項１記載の発明によると、第１封止部の裏面を閉鎖した状態で、第１封止部に内部孔の成形が可能となるとともに、開口部を含む内部孔が、第１封止部の外周に嵌合した第２封止部により閉鎖されるため、内部孔内で抜止め係合している封止手段の弾性爪を不正に変形させる等の行為を阻止して、基板ケースの不正な開封を確実に防止することができる。
［００１１］
（ｂ）請求項２記載の発明によると、封止手段の弾性爪が、内部孔に進入した状態で表面壁の裏側に係合することにより、封止手段は第１封止部に確実に抜け止め係合する。
［００１２］
（ｃ）請求項３記載の発明によると、封止手段を第２封止部に仮止めすることができ、封止手段の管理及び取付け作業の効率化を図ることができる。
［００１３］
（ｄ）請求項４記載の発明によると、封止手段が本止め状態にあるとき、弾性爪及び他の弾性爪の２ヶ所が抜止め係合するため、封止手段の抜止めを強固にすることができる。また、封止手段を本止め状態にするときの押し込み力は、仮止め状態にするときの押し込み力より強い力を必要とするため、封止手段を仮止め状態にする際、誤って本止め状態にしてしまうことを未然に防止することができる。
［００１４］
（ｅ）請求項５記載の発明によると、封止手段の他の弾性爪が第２封止部から露出しないため、封止手段の他の弾性爪が不正に変形させられる等の行為を阻止することができ、封止手段の不正な取り外しを確実に阻止することができる。
【図面の簡単な説明】
［００１５］
［図１］本発明を適用した遊技機の正面図である。
［図２］前扉を開けた状態の遊技機の正面図である。
［図３］制御基板ユニットの斜視図である。
［図４］制御基板ユニットの分解斜視図である。
［図５］封止ピンが仮止め状態にあるときの、制御基板ユニットの要部の拡大縦断面図である。
［図６］封止ピンが本止め状態にあるときの、制御基板ユニットの要部の拡大縦断面図である。
［図７］制御基板ユニットの要部の拡大横断面図である。
［図８］制御基板ユニットの他の要部の拡大横断面図である。
符号の説明
［００１６］
（１２）第１ケース体
（１３）第２ケース体
（１６）封止ピン
(124)第１封止部
(124b)内部孔
(124d)開口部
(133)第２封止部
(162)軸部
(163)第１弾性爪
【発明を実施するための最良の形態】
【００１７】
以下、本発明の一実施形態を、図１〜図８に基づいて説明する。図１は、本発明を適用した遊技機（スロットマシン）の正面図、図２は、前扉を開けた状態の遊技機の正面図、図３は、制御基板ユニットの斜視図、図４は、制御基板ユニットの分解斜視図、図５、６は、要部の拡大縦断面図、図７、８は、要部の拡大横断面図である。なお、以下の説明では、図１、２において紙面手前側を遊技機の「前方または表面側」とし、図１、２において紙面奥側を「後方または裏面側」とし、図１、２において左側を「左方」とし、図１、２において右側を「右方」とする。
【００１８】
遊技機(１)としてのスロットマシンは、前面（正面）が開口する正面視矩形の筐体(２)と、筐体(２)の左側部に上下方向を向く上下１対のヒンジ軸(４)により開閉自在に枢支された前扉(３)とを備える。
【００１９】
筐体(２)内には、複数種類の図柄、数字等で構成される識別情報を変動及び停止表示可能な３個の回転リール(６)と、遊技媒体であるメダル（コインを含む）を貯留及び払出可能なホッパーユニット(７)と、後述の透明な基板ケース(14)内に、遊技全体を統括的に制御する主制御基板(８)が収容されてなる制御基板ユニット(100)と、主制御基板(８)から出力される制御信号に基づいて、前扉(３)の裏面側に設けられた各種遊技情報及び演出を表示可能な液晶表示ユニット(31)に制御信号を出力可能な副制御基板(９)と、主制御基板(８)及びその他の機器へ電力を供給する電源装置(11)とが収容されている。
【００２０】
前扉(３)の前面には、液晶表示ユニット(31)に表示される遊技情報及び演出を透視可能な遊技情報表示窓(34)、各回転リール(６)の識別情報を３こまずつ透視可能な識別情報表示窓(35)、前扉(３)の裏面に設けられる中部基板（図示略）に表示される各種情報を透視可能な複数の情報表示窓(36)、遊技を行うときにメダルが投入されるメダル投入口(37)、メダルの賭数を最大限（３枚）に設定するＭＡＸベットボタン(38)、メダルの賭数を１枚に設定する１枚ベットボタン(39)、全ての回転リール(６)を回転させるときに操作されるスタートレバー(40)、各回転リール(６)の回転を停止させるときに操作される３個のストップボタン(41)等が設けられている。
【００２１】
遊技機(１)の遊技は、遊技者がメダルをメダル投入口(37)に投入した後、ＭＡＸベットボタン(38)または１枚ベットボタン(39)によりメダルの賭数を設定した後、スタートレバー(40)を操作して、全ての回転リール(６)を回転させることによって開始される。
【００２２】
回転リール(６)が回転して所定時間が経過した後、３個のストップボタン(41)を順次操作して、各回転リール(６)の回転を停止させ、停止した３個の回転リール(６)の識別情報の組み合わせにより、入賞の有無、及び賞の大小に応じたメダルの配当枚数が確定され、入賞した場合には、予め定めた入賞枚数分だけホッパーユニット(７)からメダル受皿(3a)にメダルが払い出される。
【００２３】
なお、本実施形態において、遊技機(１)を遊技媒体がメダル（コインを含む）とするスロットマシンとして説明するが、本発明は、これに特定されるものでなく、遊技機(１)を遊技媒体がパチンコ玉であるパチンコ機またはスロットマシンとしても良い。
【００２４】
制御基板ユニット(100)は、前述の主制御基板(８)と、主制御基板(８)を収容する透明な合成樹脂製の基板ケース(14)と、基板ケース(14)が固定される金属製のベースブラケット(15)と、基板ケース(15)を封止する封止手段をなす複数（本実施形態においては６個）の封止ピン(16)とを備える。
【００２５】
基板ケース(14)は、透明な合成樹脂材料により成形されるとともに、ベースブラケット(15)の前面に固定される第１ケース体(12)と、透明な合成樹脂材料により成型されるとともに、第１ケース体(12)の前面に開閉自在に装着される第２ケース体(13)とを有し、ベースブラケット(15)を介して筐体(２)内の後板(21)に固定される。なお、第２ケース体(13)は、左端部が第１ケース体(12)の左端部に設けられた上下の半円筒部(12a)に嵌合されることによって、第１ケース体(12)の前面に開閉自在に枢支される。
【００２６】
主制御基板(８)は、第１ケース(12)と第２ケース体(13)との間に挾持された状態で、基板ケース(14)内に縦置きに収容されるとともに、その前面には、遊技動作を統括的に制御する電子部品(81)、及び外部コネクタ（図示略）が接続される複数の基板側コネクタ(82)が実装され、各種電子部品(81)と各基板側コネクタ(82)とはプリント配線（図示略）により電気的に接続されている。
【００２７】
第１ケース体(12)は、主制御基板(８)の後面側を覆う箱状の第１収容部(121)を有し、第１収容部(121)の右部には、前方へ突出し、かつ上下方向へ弾性変形可能な上下の係合爪(122)が設けられ、同じく右端部には、第２ケース体(13)の右前面に刻設された記号(137)［Ａ」〜「Ｆ」（図３のみに付与）のうちの「Ａ」、「Ｆ」に対応する上下２個の第１封止部(124)が設けられ、同じく上面左部には、上方に突出した円柱状の突部(125)が設けられ、さらには、上側の第１封止部(124)（記号(137)「Ａ」に対応）の上方には、右方が開口した切欠部(126)が設けられている。
【００２８】
第２ケース体(13)は、主制御基板(８)の表面を覆う箱状の第２収容部(131)を有し、第２収容部(131)の下方には、基板側コネクタ(82)を露出させるための複数の開口部(135)が設けられ、第２収容部(131)の右方には、第１ケース体(12)の係合爪(122)が弾性係合し、第２ケース体(13)を第１ケース体(12)に対して閉鎖位置に保持する係合孔(132)が設けられている。
【００２９】
第２収容部(131)の右端部には、封止ピン(16)をもって、第１ケース体(12)の第１封止部(124)に固定される記号(137)「Ａ」、「Ｆ」に対応する上下２個の第２封止部(133)と、封止ピン(16)をもって、ベースブラケット(15)に設けた後述の被取付部(152)に固定される記号(137)「Ｂ」〜「Ｅ」に対応する４個の第３封止部(134)が設けられている。なお、各封止部(133)(134)は、横方向を向く薄肉状の切断部(136)を介して、第２収容部(131)にそれぞれ分離可能に連設されている。
【００３０】
各封止ピン(16)は、上下方向の連結板(18)と共に合成樹脂材料で一体成形されるとともに、記号(137)「Ａ」〜「Ｆ」に対応するように、連結板(18)に薄肉状の切断部(18a)を介して連設され、切断部(18a)を切断することによって、連結板(18)から個別に分離することができる。
【００３１】
封止ピン(16)は、切断部(18a)に接続される拡径の鍔部(161)と、鍔部(161)の裏面から後方へ突出する軸部(162)と、軸部(162)の後端部に設けられ、内側へ弾性変形可能な第１弾性爪(163)と、軸部(162)における鍔部(161)と第１弾性爪(163)との間に設けられ、第１弾性爪（１６３）と同一形状の他の弾性爪をなす第２弾性爪（１６４）とを有する。
［００３２］
なお、各封止ピン（１６）は、全て同一形状であるので、図面簡略化のため、図５、６において、鍔部（１６１）、軸部（１６２）、第１弾性爪（１６３）、第２弾性爪（１６４）及び切断部（１８ａ）の符号は、記号（１３７）「Ａ」、「Ｂ」、「Ｆ」に対応する封止ピン（１６）のみに付し、その他の係止ピン（１６）については省略する。
［００３３］
図５、６及び図７に示すように、第１ケース体（１２）の第１封止部（１２４）は、表裏方向、すなわち前後方向（図５、６において左右方向、図７において上下方向）を向く筒部（１２４ｅ）と、筒部（１２４ｅ）の裏側を閉鎖する裏面壁（１２４ｆ）と、筒部（１２４ｅ）の表側に設けられ、第２封止部（１３３）に対向する前面壁（表面壁）（１２４ａ）とを一体的に形成してなり、表面壁（１２４ａ）には、筒部（１２４ｅ）内の内部孔（１２４ｂ）より小径で、かつ封止ピン（１６）の第１弾性爪（１６３）が弾性変形しつつ通過可能な縮径孔（１２４ｃ）が穿設され、また、筒部（１２４ｅ）には、その長手方向（前後方向）と直交する方向から内部孔（１２４ｂ）を成型するための樹脂成型の型を抜くときに形成される内部孔（１２４ｂ）に通じる開口部（１２４ｄ）が形成されている。縮径孔（１２４ｃ）を通過した封止ピン（１６）の第１弾性爪（１６３）は、内部孔（１２４）に進入して前面壁（１２４ａ）の裏面側に抜止め係合する。
［００３４］
樹脂成型において、有底筒状の第１封止部（１２４）の入口側にある縮径孔（１２４ｃ）の内径が、奥の内部孔（１２４ｂ）の内径より小さい場合、内部孔（１２４ｂ）を成型するための型が成型完了後の離型時に縮径孔（１２４ｃ）から抜けないため、通常の金型では樹脂成型が不能である。そこで、このような形状を成型するには、第１ケース体（１２）を樹脂成形するとき、内部孔（１２４ｂ）に横方向から進入し、成型完了後、内部孔（１２４ｂ）から退出するスライドコアを樹脂用金型のキャビティに設ける。これにより、第１封止部（１２４）の後面に型抜きのための開口を形成することなく、第１封止部（１２４）に内部孔（１２４ｂ）を成型することができる。この結果、第１封止部（１２４）の筒部（１２４ｅ）には、第１封止部（１２４）に内部孔（１２４ｂ）を横方向から成型するときに形成される横向きの開口部（１２４ｄ）が設けられる。なお、スライドコアは、開口部（１２４ｂ）の形状に対応して形成される。
［００３５］
図５、６及び図７に示すように、第２封止部（１３３）は、封止ピン（１６）の軸部（１６２）を前方から挿入し得るように、前後方向の筒孔（１３３ａ）を有する円筒状をなすとともに、第１封止部（１２４）の開口部（１２４ｄ）を閉鎖するように、第１封止部（１２４）の外周に嵌合可能となっている。なお、筒孔（１３３ａ）の内径は、封止ピン（１６）の鍔部（１６１）より僅かに拡径となっている。
［００３６］
第２封止部（１３３）内には、筒孔（１３３ａ）を前後に仕切る仕切壁（１３３ｂ）が設けられ、また、仕切壁(133b)には、筒孔(133a)の内径より縮径で、かつ封止ピン(16)の各弾性爪(163)(164)が内側に弾性変形しつつ通過可能な縮径孔(133c)が設けられている。なお、第２封止部(133)が第１封止部(124)の外周に嵌合した状態においては、仕切壁(133b)の後面と第１封止部(124)の前面壁(124)とは、前後方向へ所定量離間している。
【００３７】
図５、６及び図８に示すように、第３封止部(134)は、封止ピン(16)の軸部(162)を前方（図８において下方）から挿入し得るように、前後方向の筒孔(134a)を有する円筒状をなすとともに、基板ケース(14)をベースブラケット(15)に固定した状態において、その後端がベースブラケット(15)の被取付部(152)の前面に当接するようになっている。
【００３８】
第３封止部(134)内には、筒孔(134a)を前後に仕切る仕切壁(134b)が設けられ、この仕切壁(134b)には、筒孔(134a)の内径より縮径で、かつ封止ピン(16)の各弾性爪(163)(164)が内側に弾性変形しつつ通過可能な縮径孔(134c)が設けられている。なお、第３封止部(134)は、第２封止部(133)より前後長さが短く設定されていること以外は第２封止部(133)と同一寸法である。
【００３９】
なお、４個の第３封止部(134)は、全て同一形状であるので、図面簡略化のため、図４、５において、筒孔(134a)、仕切壁(134b)及び縮径孔(134c)の符号は、記号(137)「Ｂ」に対応する第３封止部(134)のみに付し、その他の第３封止部(134)については省略する。
【００４０】
ベースブラケット(15)は、複数の止めネジ(17)をもって、筐体(２)内の後板(21)に固定されるとともに、正面視矩形の基部(151)の右端部には、封止ピン(16)をもって、第３封止部(134)が固定される被取付部(152)が設けられ、同じく上面左部には、第１ケース体(12)の突部(125)が係合可能な左方が開口した切欠部(157)が設けられ、また、同じく上面右部には、第２ケース体(13)の突部(138)が係合可能な左方が開口した切欠部(158)が設けられている。
【００４１】
被取付部(152)は、前面、上下面及び左右側面を形成する前板部(153)と、後面を形成する後板部(154)とを有し、図５、６及び図８に示すように、前板部(153)と後板部(154)とにより、あらゆる方向が閉鎖された空間部(155)を形成している。前板部(153)の前面には、各第３封止部(134)に対応し、かつ封止ピン(16)の第１弾性爪(163)が内側に弾性変形しつつ通過可能な４個の係止孔(156)が穿設されている。係止孔(156)を通過した封止ピン(16)の第１弾性爪(163)は、空間部(155)に突入して前板部(156)の裏面側に抜止め係合する。
【００４２】
なお、本実施形態においては、前板部(153)と後板部(154)とによって、前板部(153)の裏面側に抜止め係合している封止ピン(16)の第１弾性爪(163)を遮蔽する遮蔽部を形成する。
【００４３】
上述のように、前板部(153)の裏面側に抜止め係合している封止ピン(16)の第１弾性爪(163)は、前板部(153)及び後板部(154)により形成される遮蔽部により遮蔽されるため、不正具により第１弾性爪(163)を内側に不正に変形させ、封止ピン(16)を被取付部(152)から取り外すような不正行為を確実に阻止することができる。
【００４４】
封止ピン(16)は、図５に示すように、各封止部(133)(134)に浅く差し込むことにより仮止め状態となり、また、仮止め状態からさらに深く差し込むことにより、図６、７及び図８に示すように本止め状態となる。
【００４５】
仮止め状態にあるとき、封止ピン(16)は、軸部(162)が各封止部(133)(134)の筒孔(133a)(134a)に挿入されて、第１弾性爪(163)が各封止部(133)(134)内で各仕切壁(133b)(134b)の裏面に抜止め係合し、各封止部(133)(134)から脱落しないように保持される。
【００４６】
本止め状態にあるとき、第２封止部(133)に挿入された封止ピン(16)は、主に図７に示すように、第１弾性爪(163)が第１封止部(124)の内部孔(124b)内で前面壁(124a)の裏面側に抜止め係合し、また、第２弾性爪(164)が第２封止部(133)内で仕切壁(133b)の裏面側に抜止め係合した状態で、第２封止部(133)を第１封止部(124)に固定して、基板ケース(14)を封止する。また、第３封止部(134)に挿入された封止ピン(16)は、主に図８に示すように、第１弾性爪(163)が被取付部(152)の前板部(156)の裏面側に抜止め係合し、また、第２弾性爪(164)が第３封止部(134)内で仕切壁(134b)の裏面側に抜止め係合した状態で、第３封止部(134)をベースブラケット(15)の被取付部(152)に固定して、基板ケース(14)を封止する。
【００４７】
次に、制御基板ユニット(100)の組立て要領及び作用について説明する。先ず、主制御基板(８)を第１収容部(121)と第２ケース体(13)の第２収容部(131)との間に挾持されるように収容し、係合爪(122)を係合孔(132)に係合させて基板ケース(14)を閉鎖する。
【００４８】
次いで、各封止ピン(16)が連設されている連結板(18)を第２ケース体(12)に嵌合するとともに、各封止ピン(16)を、各封止部(133)(134)に浅く差し込んで、第１弾性爪(163)が各封止部(133)(134)の縮径孔(133c)(134c)を弾性変形しつつ通過して、各筒孔(133a)(134a)内で各仕切壁(133b)(134b)の裏面側に抜止め係合する仮止め状態とする。この場合、各封止ピン(16)が連結板(18)に連設されているため、封止ピン(16)の管理及び各封止部(133)(134)への差し込み作業を効率的に行うことができる。
【００４９】
また、封止ピン(16)を仮止め状態にするときの押し込み力（封止ピン(16)の第１弾性爪(163)のみを抜止め係合させる力）は、本止め状態にするときの押し込み力（封止ピン(16)の第１、２弾性爪(163)(164)を一緒に抜止め係合させる力）に比して極めて軽い力で足りるため、封止ピン(16)を仮止め状態にする際、誤って本止め状態まで押し込んでしまうような事態を極力防止することができる。
【００５０】
封止ピン(16)を仮止め状態にした後、記号(137)「Ａ」に対応する第２封止部(133)に仮保持された封止ピン(16)のみを本止め状態までさらに深く押し込む。これにより、封止ピン(16)の鍔部(161)が、第２封止部(133)の仕切壁(133b)の前面に当接するとともに、第１弾性爪(163)が、第１封止部(124)の縮径孔(124c)を弾性変形しつつ通過して内部孔(124b)に進入し、前面壁(124a)の裏面側に抜止め係合するとともに、第２弾性爪(164)が、第２封止部(133)の縮径孔(133c)を弾性変形しつつ通過して、仕切壁(133b)の裏面側に抜止め係合する。この結果、記号(137)「Ａ」に対応する第２封止部(133)が第１封止部(124)に固定されて、基板ケース(14)は封止される。
【００５１】
第２封止部(133)が第１封止部(124)に固定された状態においては、第１封止部(124)の開口部(124d)を含む内部孔(124b)が、第１封止部(124)の外周に嵌合した第２封止部(133)により閉鎖されるため、内部孔(124)内で抜止め係合している封止ピン(16)の第１弾性爪(163)を、不正具により内側へ変形させ、封止ピン(16)を取り外すような不正行為を阻止することができる。
【００５２】
封止ピン(16)により封止された基板ケース(14)を、筐体(２)に取り付けるには、次のように行われる。先ず、基板ケース(14)の下面をベースブラケット(15)の下部に設けた載置片(159)に載せた状態で、右方へスライドさせ、第１ケース体(12)の突部(125)及び切欠部(126)をベースブラケット(15)の切欠部(157)及びベースブラケット(15)に予め緩く螺合されたネジ(19)、また、第２ケース体(13)の突部(138)をベースブラケット(15)の切欠部(158)にそれぞれ係合させた後、ネジ(19)を締め付けることにより、基板ケース(14)はベースブラケット(15)の前面に固定される。
【００５３】
次いで、記号(137)「Ｂ」に対応する第３封止部(134)に仮止めされている封止ピン(16)を、鍔部(161)が仕切壁(134b)の前面に当接するまで深く押し込む。これにより、封止ピン(16)の第１弾性爪(163)が、記号(137)「Ｂ」に対応するベースブラケット(15)の係止孔(156)を内側に弾性変形しつつ通過して被取付部(152)の空間部(155)に突入して、被取付部(152)の前面部(153)の裏面側に抜止め係合するとともに、第２弾性爪(164)が、第３封止部(134)の縮径孔(134c)を内側に弾性変形しつつ通過して仕切壁(134b)の裏面側に抜止め係合する。この結果、記号(137)「Ｂ」に対応する第３封止部(134)がベースブラケット(15)の被取付部(152)に固定されて、基板ケース(14)は封止される。
【００５４】
第３封止部(134)がベースブラケット(15)の被取付部(152)に固定された状態においては、封止ピン(16)の第１弾性爪(163)が、遮蔽部を形成する前面部(153)及び後面部(154)により遮蔽されている。これにより、不正具をもって、被取付部(152)の空間部(155)で抜止め係合している第１弾性爪(163)を内側へ変形させて封止ピン(16)を取り外し、基板ケース(14)をベースブラケット(15)から取り外すような不正行為を阻止することができる。
【００５５】
基板ケース(14)をベースブラケット(15)に固定した後、主制御基板(８)の電子部品(81)等の検査を行なう場合には、先ず、記号(137)「Ｂ」に対応する第３封止部(134)の切断部(136)及び封止ピン(16)に連設された切断部(18a)のそれぞれをニッパー等の工具で切断して、第３封止部(134)を第２ケース体(13)から、また封止ピン(16)を連結板(18)から個別に分離する。この後、ネジ(19)を緩めることにより、基板ケース(14)をベースブラケット(15)から取り外すことができる。
【００５６】
基板ケース(14)をベースブラケット(15)から取り外した後は、記号(137)「Ａ」に対応する第２封止部(133)の切断部(136)及び封止ピン(16)の切断部(18a)をそれぞれ切断する。これにより、記号(137)「Ａ」に対応する第２封止部(133)及び封止ピン(16)は、第１ケース体(12)から分離するため、基板ケース(14)を開封して主制御基板(８)を取り出して検査することができる。
【００５７】
また、主制御基板(８)を外部の検査機関で検査する場合には、封止ピン(16)により、記号(137)「Ｆ」に対応する第２封止部(133)を、封止ピン(16)により第１封止部(124)に固定した状態で外部の検査機関に搬送する。これにより、基板ケース(14)の搬送中に、基板ケース(14)が不正に開封されることはない。
【００５８】
検査後は、基板ケース(14)は廃棄される。そして、未使用の基板ケース(14)を準備し、この基板ケース(14)に主制御基板(８)を収容して記号(137)「Ａ」に対応する第２封止部(133)を、別途用意した封止ピン(16)により第１封止部(124)に固定した状態で、送り返される。
【図１】
0004087893.tif 000002
【図２】
0004087893.tif 000003
【図３】
0004087893.tif 000004
【図４】
0004087893.tif 000005
【図５】
0004087893.tif 000006
【図６】
0004087893.tif 000007
【図７】
0004087893.tif 000008
【図８】
0004087893.tif 000009